(57)【要約】【課題】既存の純正のナビゲーション装置および非純正のナビゲーション装置の双方についてＲＧＢ出力による精細な画像をディスプレイに表示させることが出来るナビゲーション切替装置を提供すること。【解決手段】  車載されたＧＰＳナビゲーション装置の切替装置であって、カラー映像の信号であるＲＧＢ信号を入力する第1のＲＧＢ信号入力部と、カラー映像の信号であるＲＧＢ信号を入力する第２のＲＧＢ信号入力部と、前記第1のＲＧＢ信号入力部または第２のＲＧＢ信号入力部に入力されたＲＧＢ信号の何れか一方を任意に選択する選択手段と、前記選択手段によって選択されたＲＧＢ信号を出力するＲＧＢ信号出力部を備えたこと。【選択図】図１
2009264857.tif 000002
【特許請求の範囲】
【請求項１】
車載されたＧＰＳナビゲーション装置の切替装置であって、
カラー映像の信号であるＲＧＢ信号を入力する第1のＲＧＢ信号入力部と、
カラー映像の信号であるＲＧＢ信号を入力する第２のＲＧＢ信号入力部と、
前記第1のＲＧＢ信号入力部または第２のＲＧＢ信号入力部に入力されたＲＧＢ信号の何れか一方を任意に選択する選択手段と、
前記選択手段によって選択されたＲＧＢ信号を出力するＲＧＢ信号出力部を備えたことを特徴とするナビゲーション切替装置。
【請求項２】
車載されたＧＰＳナビゲーション装置の切替装置であって、
カラー映像の信号であるＲＧＢ信号を入力する第1のＲＧＢ信号入力部および前記ＲＧＢ信号に付随する音声信号を入力する第1の音声信号入力部と、
カラー映像の信号であるＲＧＢ信号を入力する第２のＲＧＢ信号入力部および前記ＲＧＢ信号に付随する音声信号を入力する第２の音声信号入力部と、
前記第1のＲＧＢ信号入力部または第２のＲＧＢ信号入力部に入力されたＲＧＢ信号の何れか一方を任意に選択する選択手段と、
前記選択手段によって選択されたＲＧＢ信号を出力するＲＧＢ信号出力部と、
前記第1または第２の音声信号入力部に入力された音声信号の一方を優先的に出力する音声選択手段を有したことを特徴とするナビゲーション切替装置。
【発明の詳細な説明】
【技術分野】
【０００１】
本発明は、車載されたＧＰＳナビゲーション装置の切替装置に関するものである。
【背景技術】
【０００２】
近年、ＧＰＳを使用した車両用ナビゲーションシステムが一般化してきており、車両に付属する純正品としてＧＰＳナビゲーション、オーディオ、エアコン等の機器をディスプレイ周辺に設けたコントロールパネル部によって制御することが行われている。このような装置の集合システムを一般的に純正マルチビジョン又は純正マルチ等と称している。そして、当該純正マルチに、純正品として付属しているナビゲーション装置をそのままにして別のＧＰＳナビゲーション装置を追加装着したい場合がある。
図３は、上記純正マルチに非純正のナビゲーション装置を接続する場合の接続例を表したものである。非純正ナビゲーション１０１の映像を純正マルチによって表示するには、非純正ナビゲーション１０１の出力（映像出力Ｖ，音声出力Ｓｏｕｎｄ）をＤＶＤ再生機等のオーディオ機器１０４が備える外部端子（ＡＵＸ）１０５に接続する必要がある。そして、コントロールパネル１０２上の「オーディオ」スイッチによってオーディオ機器１０４を選択することで、オーディオ機器１０４の出力した信号として非純正ナビゲーション１０１の映像をディスプレイ１０３に表示させている。
【０００３】
市販されている非純正のナビゲーション装置は、映像出力としてＲＧＢ信号とコンポジット信号の双方の出力端子を備えている。ＲＧＢ信号はコンポジット信号よりも画質が優れているので、非純正のナビゲーション装置を使用する場合にはＲＧＢ信号を使用するのが好ましい。しかし、既存の純正ナビゲーション装置１０６を接続したまま、非純正のナビゲーション装置を使用するには、上述したようにオーディオ機器１０４のコンポジット信号を入力させる外部端子１０５を使用するしかなく、画質のよい画像を表示することができないという欠点を有していた。また、オーディオ機器１０４の外部端子１０５を使用すると、非純正のナビゲーション装置を使用している間はＣＤやＤＶＤの再生などオーディオ機器１０４としての機能を使用できないという欠点を有していた。
【０００４】
また、特許文献1記載の車載機器の管理システムが知られている。当該管理システムは、オーディオセレクタ、アンプ、ビデオセレクタ、及びリレー制御部を備えたＣＰＵを有する管理装置を有している。そして、当該管理装置のＣＰＵによって、純正機器や非純正機器を選択し制御するようになっている。しかし、このような管理システムは当初から車載していることを前提としており、通常の純正マルチ搭載車にこのような管理装置を設けるにはシステムを全て取り替えるしかない。したがって、後付の装置としてこのような管理装置を取り付けることはできない。また、非純正のナビゲーション装置の映像出力をＲＧＢ信号として使用することについての開示はなされていない。
【特許文献１】特開２００７−１７６２９２号公報
【発明の開示】
【発明が解決しようとする課題】
【０００５】
本発明は上記課題に鑑み発明されたものであって、車載されている純正マルチを使用して、既存の純正のナビゲーション装置および非純正のナビゲーション装置の双方について、コンポジット信号ではなくＲＧＢ出力による精細な画像をディスプレイに表示させることが出来るナビゲーション切替装置の提供を課題とするものである。
【課題を解決するための手段】
【０００６】
上記課題を解決するために請求項１記載の発明は下記の構成を有する。すなわち、
車載されたＧＰＳナビゲーション装置の切替装置であって、
カラー映像の信号であるＲＧＢ信号を入力する第1のＲＧＢ信号入力部と、
カラー映像の信号であるＲＧＢ信号を入力する第２のＲＧＢ信号入力部と、
前記第1のＲＧＢ信号入力部または第２のＲＧＢ信号入力部に入力されたＲＧＢ信号の何れか一方を任意に選択する選択手段と、
前記選択手段によって選択されたＲＧＢ信号を出力するＲＧＢ信号出力部を備えたことを特徴とするナビゲーション切替装置。
【０００７】
また、上記課題を解決するために請求項２記載の発明は下記の構成を有する。すなわち、
車載されたＧＰＳナビゲーション装置の切替装置であって、
カラー映像の信号であるＲＧＢ信号を入力する第1のＲＧＢ信号入力部および前記ＲＧＢ信号に付随する音声信号を入力する第1の音声信号入力部と、
カラー映像の信号であるＲＧＢ信号を入力する第２のＲＧＢ信号入力部および前記ＲＧＢ信号に付随する音声信号を入力する第２の音声信号入力部と、
前記第1のＲＧＢ信号入力部または第２のＲＧＢ信号入力部に入力されたＲＧＢ信号の何れか一方を任意に選択する選択手段と、
前記選択手段によって選択されたＲＧＢ信号を出力するＲＧＢ信号出力部と、
前記第1または第２の音声信号入力部に入力された音声信号の一方を優先的に出力する音声選択手段を有したことを特徴とするナビゲーション切替装置。
【発明の効果】
【０００８】
本発明は、純正ナビゲーション装置を接続したまま非純正のナビゲーション装置を使用する場合であっても、映像の劣化のないＲＧＢ信号を使用して映像を出力することができるという効果を有している。
また、非純正のナビゲーション装置の映像を表示する場合であっても、オーディオ機器の外部端子を使用しないので、ナビゲーション起動中であってもＣＤやＤＶＤ再生などを行うことができるという効果を有している。
【発明を実施するための最良の形態】
【０００９】
以下、本発明を実施するための最良の形態について説明する。
本発明に係るナビゲーション切替装置（以下「本装置」という）１は、所謂純正マルチに対する付属装置として使用するものである。以下、本明細書において純正マルチとはＧＰＳナビゲーション、オーディオ、エアコン等の各種機器を集中コントロールする機器であって、表示画面と各機器をコントロールするスイッチ類を設けたものをいう。
【００１０】
車の購入時から装着されている純正のＧＰＳナビゲーション装置は、映像用として赤、緑、青の色信号で構成されるＲＧＢ信号（以下単に「映像信号」という）および同期信号を出力する映像出力端子と、案内音声等を出力する音声出力端子を有している。当該映像出力端子と音声出力端子は、図３に示したように純正マルチに設けられているＧＰＳナビゲーション用端子１０７に接続されている。
そして、ディスプレイ１０３周辺に設けられた「現在地」ボタン１０８等のナビゲーション操作用のスイッチを操作することによって、前記端子１０７より入力した画像を表示するとともにスピーカー１０９、１１０を介して音声を出力するようになっている。
【００１１】
本装置１は、図１に示すように純正のＧＰＳナビゲーション装置３０および非純正のＧＰＳナビゲーション装置３１と純正マルチ１００との間に挿入して使用するものであり、純正のＧＰＳナビゲーション装置３０の映像信号および同期信号を入力する入力端子２と音声信号を入力する音声端子３を有している。
また、前記入力端子２および音声端子３とは別に、非純正のＧＰＳナビゲーション装置３１の映像信号および同期信号を入力する入力端子４と、音声信号を入力する音声端子５を有している。映像端子である上記入力端子２と入力端子４は、ともに画質の優れたＲＧＢ信号を入力することができる端子となっている。
このように、本装置１は映像信号、同期信号および音声信号について、純正用と非純正用の２系統の入力を有している。なお、当該例では映像信号、同期信号および音声信号を２系統設けているが、これ以上の複数系統を有していても差し支えのないものである。
【００１２】
図２は、本装置１の回路ブロック図を表している。
前記２系統の映像信号は、選択手段として機能するスイッチ８の操作によって何れか一方のみが選択されるようになっている。スイッチ８はＮＡＮＤ回路によって構成されたロジック部９に接続されており、当該ロジック部９は、スイッチ８の操作に応じて２つの映像セレクタ用ＩＣ１０、１１に対して制御信号を出力するようになっている。
映像セレクタ用ＩＣ１０には、入力端子２から入力した純正ナビゲーション装置による映像信号（Ｒ１、Ｇ１、Ｂ１）内の２つの映像信号Ｒ１、Ｇ１および入力端子４から入力された非純正ナビゲーション装置による映像信号（Ｒ２、Ｇ２、Ｂ２）内の映像信号Ｒ２、Ｇ２が入力される。そして、スイッチ８の選択によってＲ１とＧ１またはＲ２とＧ２の何れか一方が出力されるようになっている。
映像セレクタ用ＩＣ１１には、入力端子２から入力した純正ナビゲーション装置による映像信号（Ｒ１、Ｇ１、Ｂ１）および同期信号ＳＹＮＣ１の内の映像信号Ｂ１および同期信号ＳＹＮＣ１、入力端子４から入力された非純正ナビゲーション装置による映像信号（Ｒ２、Ｇ２、Ｂ２）および同期信号ＳＹＮＣ２の内の映像信号Ｂ２および同期信号ＳＹＮＣ２が入力される。
そして、スイッチ８による選択によって、映像信号Ｂ１と同期信号ＳＹＮＣ１または映像信号Ｂ２と同期信号ＳＹＮＣ２の何れか一方が出力されるようになっている。
【００１３】
映像セレクタ用ＩＣ１０から出力された映像信号Ｒ、Ｇは、ビデオアンプ１２を介して映像出力端子６の映像信号Ｒ３、Ｇ３として出力される。映像セレクタ用ＩＣ１１から出力された映像の映像信号Ｂは、ビデオアンプ１３を介して映像出力端子６の映像信号Ｂ３として出力される。そして、映像セレクタ用ＩＣ１１から出力された同期信号は、同期分離回路１４を介して映像出力端子６の同期信号ＳＹＮＣ３として出力される。
ビデオアンプ部では、カップリングキャパシターにより直流成分が取り除かれた信号が入力され映像信号の増幅を行うようになっている。増幅された各信号は再度カップリング回路を経て、クランプ回路でそれぞれ車種に応じた信号レベルになり純正マルチビジョンで表示されるようになっている。また、クランプ回路にてＲＢＧの色合い調整が行われるようになっている。
【００１４】
音声端子３から入力された純正機器の音声信号は音声セレクタ１７に接続され、音声端子５から入力された非純正機器の音声信号はオーディオアンプ１８を経由した後に音声セレクタ１７に接続されている。そして、当該音声セレクタ１７から出力された音声信号を音声端子７に出力するようになっている。
通常の場合、音声端子３から入力された純正機器の音声信号は音声セレクタ１７を通過して音声出力端子７に出力され、スピーカーから音声として出力されるようになっている。そして、音声端子５から非純正機器の音声信号が入力されると、純正機器の音声に代えて非純正機器の音声信号を優先して音声出力端子７に出力するようになっている。
【００１５】
非純正のＧＰＳナビゲーション装置は、音声を出力する約一秒前にボイスコントロール信号を出力するようになっており、コントロール１９はこのボイスコントロール信号を検知するようになっている。コントロール１９がボイスコントロール信号を検知すると、音声セレクタ１７が音声端子５からの信号を優先させて音声出力端子７に出力するようになっている。
また、非純正機器の音声信号は、ボリューム調整された後オーディオアンプ１８で増幅されてポップノイズ除去された後音声セレクタ１７へと入力される。ボイスコントロール信号検知から音声信号受信まで約１秒程なので、オーディオアンプ１８をスタンバイモードにすると立ち上がりに若干時間がかかって音声の初めが途切れるため、音声が流れないときも常にオーディオアンプ１８をアクティブ状態にしている。
【００１６】
次に、本装置１の使用例について説明する。図１は、前述した通り純正ナビ３０および非純正ナビ３１との間に本装置１を設けた例を示している。
本装置１を使用するには、純正ナビ３０を純正マルチのＧＰＳナビゲーション用端子１０７から取り外し、この取り外した同端子１０７に本装置１の映像出力端子６および音声出力端子７を接続する。そして、本装置１の入力端子２および音声端子３に、純正ナビ３０の映像出力端子および音声出力端子を接続し、本装置１の入力端子４および音声端子５に、非純正ナビ３１の映像出力端子および音声出力端子を接続する。
【００１７】
本体１には、外部から操作可能な２つのスイッチＳＷ１、ＳＷ２からなるスイッチ８が設けられており、このスイッチ８によって映像出力端子６および音声出力端子７を介して出力される信号が選択されるようになっている。
映像出力端子６および音声出力端子７に入力された映像信号および音声信号は、コントロールパネル１０２の「現在地」ボタン１０８を押すことによって、純正マルチのディスプレイに表示され、音声がスピーカー１０９、１１０より出力される。
純正マルチの運用中は、純正ナビ３０および非純正ナビ３１の双方が起動しているので、一方が未選択の状態であってもナビ動作は行われている。したがって、スイッチ８によって機器を切り替えた場合であっても、即座にナビ画像が表示されるようになっている。
【産業上の利用可能性】
【００１８】
本発明は、車両用ナビゲーションの切替装置に利用可能である。
【図面の簡単な説明】
【００１９】
【図１】本願発明に係る車両用ナビゲーション切替装置の使用形態の説明図である。
【図２】本願発明に係る車両用ナビゲーション切替装置の回路説明図である。
【図３】従来の純正ナビゲーションの使用説明図である。
【符号の説明】
【００２０】
１  ナビゲーション切替装置（本装置）
２  入力端子
３  音声端子
４  入力端子
５  音声端子
６  映像出力端子
７  音声出力端子
８  スイッチ
９  ロジック部
１０、１１  映像セレクタ用ＩＣ
１２  ビデオアンプ
１３  ビデオアンプ
１４  同期分離回路
１７  音声セレクタ
１８  オーディオアンプ
１００  純正マルチ
１０１  非純正ナビゲーション
１０２  コントロールパネル
１０３  ディスプレイ
１０４  オーディオ機器
１０５  外部端子（ＡＵＸ）
１０６  純正ナビゲーション装置
１０７  ＧＰＳナビゲーション用端子
１０８  「現在地」ボタン
１０９、１１０  スピーカー
【図１】
2009264857.tif 000003
【図３】
2009264857.tif 000004
【図２】
2009264857.tif 000005